(57)【要約】【課題】多種多様な機能を備えた画像形成装置において、スキャンした原稿に基づいて容易に機能を設定する。【解決手段】ＭＦＰのＣＰＵは、ユーザにより原稿がスキャンされると（Ｓ３２００にてＹＥＳ）、スキャンした原稿をプレビュー表示するステップ（Ｓ３２０２）と、原稿データをＯＣＲ処理するステップ（Ｓ３２０４）と、スキャンした原稿が原稿別推奨機能リストに登録済である場合には（Ｓ３２１０にてＹＥＳ）、ＨＤＤから原稿別推奨機能リストを読出して、原稿種別および推奨メニューをタッチパネルディスプレイに表示するステップ（Ｓ３２１２）と、推奨メニューの設定が変更されない限り（Ｓ３２１８にてＮＯ）、推奨機能リストに登録された機能をＭＦＰに設定するステップ（Ｓ３２２２）と、設定された機能に基づいてコピー／送信処理を実行するステップ（Ｓ３２２４）とを含むプログラムを実行する。【選択図】図９
2011015348.tif 000002
【特許請求の範囲】
【請求項１】
設定された機能に基づいて所定の処理を実行する画像形成装置であって、
原稿を走査して画像データを取得するための走査手段と、
前記画像データと判定データとに基づいて原稿の種類を判定するための判定手段と、
前記画像形成装置に設定することが推奨される推奨機能を、原稿の種類ごとに記憶するための記憶手段と、
前記判定された原稿の種類に対応して記憶された推奨機能を、前記画像形成装置に設定するための設定手段とを含む、画像形成装置。
【請求項２】
前記画像形成装置は、前記判定された原稿の種類に対応した推奨機能が記憶されていない場合には、前記画像形成装置に設定することが推奨される推奨機能をユーザが入力するための入力手段をさらに含む、請求項１に記載の画像形成装置。
【請求項３】
前記判定データは、原稿の書式であって、
前記判定手段は、前記画像データと前記原稿の書式とに基づいて原稿の種類を判定するための手段を含む、請求項１または請求項２に記載の画像通信装置。
【請求項４】
前記判定データは、原稿に含まれる文字を表わす文字コードであって、
前記画像形成装置は、前記画像データから前記原稿に含まれる文字を読取る手段をさらに含み、
前記判定手段は、前記読取った文字と前記文字コードとに基づいて原稿の種類を判定するための手段を含む、請求項１または請求項２に記載の画像通信装置。
【請求項５】
前記設定手段は、判定された原稿の種類に対応して記憶された推奨機能を、ユーザによる要求に基づいて変更して、前記画像形成装置に設定するための手段を含む、請求項１〜請求項４のいずれかに記載の画像形成装置。
【請求項６】
前記画像形成装置は、前記画像データに基づいて、前記判定された原稿の種類に対応して記憶された推奨機能とは異なる推奨機能を作成するための作成手段をさらに含み、
前記設定手段は、判定された原稿の種類に対応して記憶された推奨機能を異なる推奨機能に変更して、前記画像形成装置に設定するための手段を含む、請求項１〜請求項４のいずれかに記載の画像形成装置。
【請求項７】
前記作成手段は、推奨機能が記憶された原稿と同じ種類の原稿であって内容が異なる原稿の画像データに基づいて、前記記憶された推奨機能とは異なる推奨機能を作成するための手段を含む、請求項６に記載の画像形成装置。
【請求項８】
前記記憶手段は、前記変更された推奨機能を記憶するための手段を含む、請求項５〜請求項７のいずれかに記載の画像形成装置。
【請求項９】
前記画像形成装置は、他の画像形成装置との間において、前記他の画像形成装置において入力された推奨機能および前記判定データを互いに通信するための通信手段をさらに含み、
前記記憶手段は、前記通信手段と介して前記他の画像形成装置から受信した、前記他の画像形成装置において入力された推奨機能および前記判定データを記憶するための手段を含む、請求項１〜請求項８のいずれかに記載の画像形成装置。
【請求項１０】
前記画像形成装置は、複数の画像形成装置において入力された推奨機能を管理する情報処理装置に接続され、
前記画像形成装置は、前記情報処理装置と通信するための通信手段をさらに含み、
前記記憶手段は、前記通信手段と介して前記情報処理装置から受信した、前記他の画像形成装置において入力された推奨機能および前記判定データを記憶するための手段を含む、請求項１〜請求項８のいずれかに記載の画像形成装置。
【発明の詳細な説明】
【技術分野】
【０００１】
本発明は、コピーモード、ファクシミリモード等を備え、各モードについて多数の機能を備えた画像形成装置に関し、特に、走査（スキャン）した原稿に応じて適切な機能を自動的に設定することのできる画像形成装置に関する。
【背景技術】
【０００２】
プリンタ機能またはコピー機能等を備えた画像形成装置をネットワークに接続し、これらを複数のユーザで利用するケースが多くなっている。また、このような画像形成装置の１つである複合機（ＭＦＰ（Ｍｕｌｔｉｆｕｎｃｔｉｏｎ  Ｐｅｒｉｐｈｅｒａｌ））のように、コピーモード、画像通信モード（代表的にはファクシミリ通信モードがある。なお、以下において、ファクシミリをＦＡＸまたはファクスと記載する場合がある。）、ネットワーク対応のプリンタモード、およびスキャナモードのように複数のモードを有するものも多くなってきている。なお、画像通信モードとして、画像データを公衆回線を用いて送受信するファクシミリ通信モード、画像データをインターネット回線を用いて送受信するインターネットファクシミリ通信モードおよび画像データを電子メールに添付する形式で送受信する電子メール通信モード（スキャンｔｏメール）、ＭＦＰ自体の記憶装置に画像データを転送する画像転送モード、ネットワーク回線を用いて画像データを特定のフォルダに転送する画像転送モード（スキャンｔｏフォルダ）等がある。
【０００３】
このような複合機においては、各々のユーザが、複数のモードの中から１つのモードを選択して、さらに機能を設定する。たとえば、コピーモードを選択して、両面印刷、集約（２ページを１枚にする２ｉｎ１、４ページを１枚にする４ｉｎ１）等の機能を設定して、所望の態様で記録用紙に画像を形成している。さらに、これらの複数の機能を適宜に組合せて利用されることも多くなってきている。
【０００４】
このような複合機（画像形成装置）を利用する場合には、たとえば、ユーザはスキャナ機能を用いて画像データを入力して、操作パネルから様々な指示を入力して画像処理（集約等）を行ない、その結果を記録用紙に印刷している。その際、ユーザの操作を支援するために、サムネイルまたはプレビュー画像をディスプレイに表示して、処理結果などを確認できるように動作する装置も存在する。このような装置であったとしても、ユーザがモードの切換えおよび機能の設定を行なう必要があり、ユーザが読取らせた原稿に対して、適切な複写機能または画像形成機能を選択するという点について手間がかかるという問題がある。
【０００５】
特開２００６−３１７６４９号公報（特許文献１）は、このような問題に対して、ユーザの操作の手間を大幅に改善することができる画像形成装置の画面制御方法を開示する。この特許文献１に開示された画面制御方法は、ユーザ操作部として画面表示部を有する操作表示部を備え、入力原稿情報に対して選択された画像形成処理を行なう画像形成装置の画面制御方法である。この画面制御方法は、原稿読取部で読取入力した読取原稿情報の種別に応じて、画面表示部に最初に表示する項目を選択する。
【０００６】
この画面制御方法によると、原稿読取部で読取入力した読取原稿情報に応じて、ユーザが操作可能な複写機能等が推奨表示されるので、ユーザは、その表示に従って操作することで、画像形成装置を用いて適切に複写物等を得ることができる。
【先行技術文献】
【特許文献】
【０００７】
【特許文献１】特開２００６−３１７６４９号公報
【発明の概要】
【発明が解決しようとする課題】
【０００８】
しかしながら、上述した特許文献１に開示された画像形成装置の画面制御方法は、原稿読取部で読取入力した読取原稿情報の種別に応じて、ユーザが操作する画面表示部に最初に表示する項目を選択するに過ぎない。たとえば、読込んだ原稿がカラーである場合に、カラー原稿を対象としたメニューが表示される。ユーザは表示されたカラー原稿メニューに従って、カラー原稿についての機能を設定する必要がある。このため、ユーザが読取らせた原稿に対して、適切な機能を選択したり、適切な機能を設定したりするという点について手間がかかるという問題は解決できていない。
【０００９】
本発明は、上述の課題を解決するために、多種多様な機能を備え、それらの機能が適宜組合せられて利用される画像形成装置において、読込んだ原稿に応じて推奨される機能を提示して、その機能を容易に設定することにより、多くの機能を適切に組合せて利用することのできる、画像形成装置を提供することである。
【課題を解決するための手段】
【００１０】
本発明に係る画像形成装置は、設定された機能に基づいて所定の処理を実行する。この画像形成装置は、原稿を走査して画像データを取得するための走査手段と、画像データと判定データとに基づいて原稿の種類を判定するための判定手段と、画像形成装置に設定することが推奨される推奨機能を、原稿の種類ごとに記憶するための記憶手段と、判定された原稿の種類に対応して記憶された推奨機能を、画像形成装置に設定するための設定手段とを含む。
【００１１】
この画像形成装置によると、処理する原稿の画像データを取得して、原稿の種類を判定する。原稿の種類が判定されると、原稿の種類ごとに記憶された推奨機能を認識できる。この推奨機能を自動的に画像形成装置に設定することができる。このため、多種多様な機能を備え、それらの機能が適宜組合せられて利用される画像形成装置において、読込んだ原稿に応じて推奨される機能を容易に設定することができる。その結果、画像形成装置における多くの機能を適切に組合せて、画像形成装置を利用することができる。
【００１２】
この画像形成装置は、判定された原稿の種類に対応した推奨機能が記憶されていない場合には、画像形成装置に設定することが推奨される推奨機能をユーザが入力するための入力手段をさらに含むように構成することができる。
【００１３】
画像形成装置により初めて処理される原稿は、推奨機能が記憶されていないので、その原稿に推奨される推奨機能をユーザが入力して、記憶させておく。この原稿と同じ種類の原稿を処理するときに、読込んだ原稿に応じて推奨される機能を容易に設定することができる。
【００１４】
判定データが原稿の書式である場合には、判定手段は、画像データと原稿の書式とに基づいて原稿の種類を判定するための手段を含むように構成することができる。
【００１５】
走査して取得された画像データと原稿の書式（フォーマット）と比較して、原稿の種類を判定することができる。
【００１６】
判定データが原稿に含まれる文字を表わす文字コードである場合には、画像形成装置は、画像データから原稿に含まれる文字を読取る手段をさらに含むように構成することができ、判定手段は、読取った文字と文字コードとに基づいて原稿の種類を判定するための手段を含むように構成することができる。
【００１７】
走査して取得された画像データをＯＣＲ（Ｏｐｔｉｃａｌ  Ｃｈａｒａｃｔｅｒ  Ｒｅａｄｅｒ）等で読取った文字と文字コードと比較して、原稿の種類を判定することができる。
【００１８】
設定手段は、判定された原稿の種類に対応して記憶された推奨機能を、ユーザによる要求に基づいて変更して、画像形成装置に設定するための手段を含むように構成することができる。
【００１９】
推奨機能の中の一部をユーザの要求に応じて変更することができるので、ユーザの要求に応じて機能を設定することができる。
【００２０】
画像形成装置は、画像データに基づいて、判定された原稿の種類に対応して記憶された推奨機能とは異なる推奨機能を作成するための作成手段をさらに含むように構成することができる。この場合において、設定手段は、判定された原稿の種類に対応して記憶された推奨機能を異なる推奨機能に変更して、画像形成装置に設定するための手段を含むように構成することができる。作成手段は、推奨機能が記憶された原稿と同じ種類の原稿であって内容が異なる原稿の画像データに基づいて、記憶された推奨機能とは異なる推奨機能を作成するための手段を含むように構成することができる。
【００２１】
推奨機能が記憶された原稿と同じ種類の原稿であっても内容が異なる原稿が走査された場合には、記憶された推奨機能とは異なる推奨機能が作成される。たとえば、同じ種類の議事録の原稿であっても会議の開催日が異なり出席者の数が異なると、コピー部数が異なる場合がある。このような場合には、記憶された推奨機能のコピー部数を、読取った原稿の内容に基づいて（ＯＣＲ文字から出席者数を判定して）、コピー部数が異なる推奨機能が作成される。このように、原稿の種類が同じでも原稿の内容に応じて推奨機能を変更することができるので、原稿の内容に応じて機能を設定することができる。
【００２２】
推奨機能が変更された場合において、記憶手段は、変更された推奨機能を記憶するための手段を含むように構成することができる。
【００２３】
ユーザにより変更された推奨機能を記憶させておくことができ、ユーザが繰返して推奨機能を変更する必要がなくなる。
【００２４】
画像形成装置は、他の画像形成装置との間において、他の画像形成装置において入力された推奨機能および判定データを互いに通信するための通信手段をさらに含むように構成することができる。この場合において、記憶手段は、通信手段と介して他の画像形成装置から受信した、他の画像形成装置において入力された推奨機能および判定データを記憶するための手段を含むように構成することができる。
【００２５】
この画像形成装置によると、複数の画像形成装置を使用して推奨機能が入力される場合であっても、推奨機能および判定データを共通して記憶する。このため、いずれの画像形成装置においても、走査した原稿の種類を判別して、記憶されている推奨機能を自動的に設定することができる。
【００２６】
画像形成装置は、複数の画像形成装置において入力された推奨機能を管理する情報処理装置に接続されるように構成することができる。この場合において、画像形成装置は、情報処理装置と通信するための通信手段をさらに含み、記憶手段は、通信手段と介して情報処理装置から受信した、他の画像形成装置において入力された推奨機能および判定データを記憶するための手段を含むように構成することができる。
【００２７】
この画像形成装置によると複数の画像形成装置を使用して推奨機能が入力される場合であっても、情報処理装置（たとえばサーバコンピュータ）において推奨機能および判定データを共通して記憶する。このため、いずれの画像形成装置においても、走査した原稿の種類を判別して、記憶されている推奨機能を自動的に設定することができる。
【発明の効果】
【００２８】
本発明に係る画像形成装置によると、多種多様な機能を備え、それらの機能が適宜組合せられて利用される画像形成装置において、読込んだ原稿の種類を判別して、その種類に応じて推奨される機能を画像形成装置に容易に設定することにより、多くの機能を適切に組合せて利用することができる。
【図面の簡単な説明】
【００２９】
【図１】本発明の実施の形態に係るネットワーク画像形成システムの全体構成を示す図である。
【図２】図１のサーバコンピュータのハードウェア構成を示す制御ブロック図である。
【図３】図１のＭＦＰのハードウェア構成を示す制御ブロック図である。
【図４】図１のＭＦＰで処理される原稿の一例を示す図（その１）である。
【図５】図１のサーバコンピュータおよびＭＦＰで記憶される、図４の原稿に対応する原稿別推奨機能リストを示す図である。
【図６】図１のＭＦＰで処理される原稿の一例を示す図（その２）である。
【図７】図１のサーバコンピュータおよびＭＦＰで記憶される、図５の原稿に対応する原稿別推奨機能リストを示す図である。
【図８】図１のサーバコンピュータおよびＭＦＰでそれぞれ実行される原稿別推奨機能登録処理プログラムの制御構造を示すフローチャートである。
【図９】図１のＭＦＰで実行される画像形成処理プログラムの制御構造を示すフローチャートである。
【図１０】図９のプログラムが実行された場合のタッチパネルディスプレイの表示例を説明する遷移図（その１）である。
【図１１】図９のプログラムが実行された場合のタッチパネルディスプレイの表示例を説明する遷移図（その２）である。
【図１２】図９のプログラムが実行された場合のタッチパネルディスプレイの表示例を説明する遷移図（その３）である。
【図１３】図９のプログラムが実行された場合のタッチパネルディスプレイの表示例を説明する遷移図（その４）である。
【発明を実施するための形態】
【００３０】
以下の説明において、同一の部品には同一の参照番号を付す。それらの機能および名称も同一である。したがって、それらに関する詳細な説明は繰返さない。また、以下においては、本発明に係る画像形成装置は、ＭＦＰであるとして説明する。しかしながら、本発明は、原稿を光学的機構により走査（以下、走査をスキャンと記載する場合がある。）して読取るスキャンモード、記録用紙に画像データを印刷するコピーモードおよび画像データを通信する画像通信モード（ファクシミリ通信モード、インターネットファクシミリ通信モード、電子メール通信モード（スキャンｔｏメール）、画像転送モード（スキャンｔｏフォルダ）等）を備えた装置であればよく、ＭＦＰに限定されるものではない。したがって、画像通信モードのみを備えたＭＦＰであっても（画像を形成するのではなく送信するのみであっても）、本発明における画像形成装置となる。
【００３１】
また、以下に説明する、読取った原稿に応じてＭＦＰの機能を設定するネットワーク画像形成システムにおいては、サーバコンピュータが複数のＭＦＰにおける原稿別推奨機能リストの登録履歴を管理して、ＭＦＰがその登録履歴をサーバコンピュータから受信して、ＭＦＰが読取った原稿に応じてＭＦＰの機能を設定する。このようにすると、ＭＦＰは自機以外で登録された原稿別推奨機能リストも使用することができるようになる。なお、サーバコンピュータを備えないで、ＭＦＰ単体で原稿別に推奨機能を設定するようにしても、複数のＭＦＰ間で通信して各ＭＦＰで原稿別に推奨機能を設定するようにしても構わない。すなわち、サーバコンピュータ（情報処理装置）は本発明の必須的な構成要件ではない。
【００３２】
［全体システム構成］
図１を参照して、本発明の実施の形態に係るネットワーク画像形成システムの全体構成について説明する。このネットワーク画像形成システムは、スキャンした原稿に応じて推奨機能を設定するＭＦＰ（１）３００〜ＭＦＰ（３）３００（以下、ＭＦＰ（１）３００〜ＭＦＰ（３）３００をＭＦＰ３００と記載する場合がある。）と、複数のＭＦＰ３００においてユーザが原稿別に登録した推奨機能を処理するサーバコンピュータ２００とを含む。これらのサーバコンピュータ２００およびＭＦＰ３００は、たとえばＩＥＥＥ８０２．３に準拠したネットワーク回線４００により通信可能に接続されている。なお、ＭＦＰ（１）３００〜ＭＦＰ（３）３００は、同じ参照符号を付しているが全く同じ機能を備えるＭＦＰであるとは限らない。
【００３３】
本実施の形態においては、各ＭＦＰはユーザが原稿別の推奨機能を登録すると、原稿のフォーマットを一意に識別する原稿データフォーマットとともに原稿別推奨機能リストをサーバコンピュータ２００へ送信する。サーバコンピュータ２００は、ネットワーク回線４００を介して受信した、各ＭＦＰ３００における原稿別推奨機能リストを、原稿データフォーマットとともに原稿別推奨機能管理テーブルに記憶する。サーバコンピュータ２００は、一定の時間間隔で、原稿別推奨機能管理テーブルに基づいて原稿別推奨機能リストの差分データを、原稿データフォーマットとともにＭＦＰ３００へ送信する。ＭＦＰ３００は、原稿別推奨機能リストを原稿データフォーマットとともに原稿別推奨機能管理テーブルに記憶する。ＭＦＰ３００は、ユーザにより原稿がスキャンされると、原稿データフォーマットを用いて原稿種別を識別して、原稿別推奨機能管理テーブルに基づいて、識別された原稿種別に推奨されている機能を自機に設定する。
【００３４】
このように、本実施の形態においては、ＭＦＰを使用するために、ユーザにより原稿がスキャンされると、スキャンして取得された原稿データに基づいて原稿種別が識別される。識別された原稿種別に対応する推奨機能が登録されていると、タッチパネルディスプレイに推奨機能を表示して、その表示を見たユーザが推奨機能の設定を要求すると、スキャンした原稿に適した機能をＭＦＰに自動的に設定することができる。
【００３５】
なお、以下においては、図面等において、サーバコンピュータ２００を単にサーバと、ＭＦＰ３００を単にＭＦＰと記載する場合がある。
【００３６】
［ハードウェア構成］
＜サーバコンピュータ２００＞
図２を参照して、本実施の形態に係るネットワーク画像形成システムを構成するサーバコンピュータ２００は、バス２９０と、バス２９０に接続されたＣＰＵ（Ｃｅｎｔｒａｌ  Ｐｒｏｃｅｓｓｉｎｇ  Ｕｎｉｔ）２１０と、バス２９０に接続されたＲＯＭ（Ｒｅａｄ−Ｏｎｌｙ  Ｍｅｍｏｒｙ）２２０と、バス２９０に接続されたＲＡＭ（Ｒａｎｄｏｍ  Ａｃｃｅｓｓ  Ｍｅｍｏｒｙ）２３０と、バス２９０に接続されたハードディスク（ＨＤＤ）２４０と、バス２９０に接続され、光ディスク２８２が装着可能で、光ディスク２８２に対する情報の書込および光ディスク２８２からの情報の読出が可能な光ディスクドライブ２８０と、バス２９０に接続され、マウス２５２およびキーボード２５４との間の接続に関するインターフェイスを提供するための入力インターフェイス（以下「入力ＩＦ」と呼ぶとともに、「インターフェイス」を「ＩＦ」または「Ｉ／Ｆ」と記載する。）２５０と、バス２９０に接続され、ディスプレイ２６２との間の接続に関するインターフェイスを提供するためのディスプレイインターフェイス（以下「ディスプレイＩＦ」と呼ぶ。）２６０と、有線または無線（本実施の形態においては有線）によりネットワーク回線４００への接続を提供するネットワークインターフェイス（以下「ネットワークＩＦ」と呼ぶ。）２７０とを含む。なお、サーバコンピュータ２００は、磁気ディスクが装着可能で、磁気ディスクに対する情報の書込および磁気ディスクからの情報の読出が可能な磁気ディスクドライブを、光ディスクドライブ２８０に代えて／加えて、備えるようにしても構わない。
【００３７】
バス２９０、ＲＯＭ２２０、ＲＡＭ２３０、ＨＤＤ２４０、光ディスクドライブ２８０、入力ＩＦ２５０、ディスプレイＩＦ２６０およびネットワークＩＦ２７０は、いずれもＣＰＵ２１０の制御のもとに協調して動作し、サーバコンピュータ２００は、本実施の形態に係るサーバコンピュータとして、種々のアプリケーションによる処理を実現する。それらのアプリケーションは、たとえば、各ＭＦＰ３００から原稿別推奨機能リストを受信して、ＭＦＰ３００において登録された原稿別推奨機能リストを一元的に管理する原稿別推奨機能管理テーブルをメンテナンスして、ＭＦＰ３００へ送信するための、ネットワーク画像形成システムにおけるサーバコンピュータを実現する。
【００３８】
サーバコンピュータ２００に、本実施の形態に係るネットワーク画像形成システムにおけるサーバコンピュータとしての動作を行なわせるためのコンピュータプログラムは、光ディスクドライブ２８０に挿入される光ディスク２８２に記憶され、さらにＨＤＤ２４０に転送される。または、プログラムはネットワーク回線４００を通じてサーバコンピュータ２００に送信されＨＤＤ２４０に記憶されてもよい。プログラムは実行の際にＲＡＭ２３０にロードされる。光ディスク２８２から、またはネットワーク回線４００を介して、直接にＲＡＭ２３０にプログラムをロードしてもよい。
【００３９】
これらのプログラムは、サーバコンピュータ２００に本実施の形態に係るネットワーク画像形成システムにおけるサーバコンピュータとして動作を行なわせる複数の命令を含む。この動作を行なわせるのに必要な基本的機能のいくつかはサーバコンピュータ２００上で動作するオペレーティングシステム（ＯＳ）若しくはサードパーティのプログラム、またはサーバコンピュータ２００にインストールされる各種ツールキットのモジュールにより提供される。従って、このプログラムはこの実施の形態のシステムおよび方法を実現するのに必要な機能全てを必ずしも含まなくてよい。このプログラムは、命令のうち、所望の結果が得られるように制御されたやり方で適切な機能または「ツール」を呼出すことにより、上記したサーバコンピュータ２００として所定の処理を実行する命令のみを含んでいればよい。サーバコンピュータ２００の実体であるコンピュータの一般的動作は周知であるので、ここでは繰返して説明しない。
【００４０】
＜ＭＦＰ３００＞
図３を参照して、本実施の形態に係るネットワーク画像形成システムを構成するＭＦＰ３００は、バス３９０と、バス３９０に接続されたＣＰＵ３１０と、バス３９０に接続されたＲＯＭ３２０と、バス３９０に接続されたＲＡＭ３３０と、バス３９０に接続されたハードディスク（ＨＤＤ）３４０と、バス３９０に接続され、タッチパネルディスプレイ３８０との間の接続に関するインターフェイスを提供するための入力ＩＦ３５０およびディスプレイＩＦ３６０と、バス３９０に接続され、有線または無線（本実施の形態においては有線）によりネットワーク回線４００への接続を提供するネットワークＩＦ３７０および公衆回線への接続を提供するＦＡＸ通信部３７５とを含む。なお、図３には図示していないが、ＭＦＰ３００は、スタートボタンおよびテンキーボタン等のハードウェアボタンを備える。
【００４１】
バス３９０、ＲＯＭ３２０、ＲＡＭ３３０、ＨＤＤ３４０、入力ＩＦ３５０、ディスプレイＩＦ３６０、ネットワークＩＦ３７０およびＦＡＸ通信部３７５は、いずれもＣＰＵ３１０の制御のもとに協調して動作し、ＭＦＰ３００において、プリント処理、ＦＡＸ送受信処理、スキャナ処理、コピー処理を実現する。なお、これらの処理は、図３においては図示していないＭＦＰ３００を構成する各部品がＣＰＵ３１０により制御されて実行される。
【００４２】
このＭＦＰ３００が備える画像通信モードとしては、ＦＡＸ通信部３７５を介して画像データを公衆回線を用いて送受信するファクシミリ通信モード、ネットワークＩＦ３７０を介して画像データをインターネット回線を用いて送受信するインターネットファクシミリ通信モード、画像データを電子メールに添付する形式で送受信する電子メール通信モード（スキャンｔｏメール）、およびネットワーク回線４００を用いて画像データを特定のフォルダに転送する画像転送モード（スキャンｔｏフォルダ）等がある。
【００４３】
ＭＦＰ３００は、たとえば、原稿読取部（スキャナ部）、画像形成部、給紙部、および排紙処理装置を備える。ＭＦＰ３００においては、原稿読取部により読取られた原稿の画像データに対して、ＣＰＵ３１０により各種の画像処理が施され、この画像データが画像形成部へと出力される。なお、このＭＦＰ３００は、レーザー光を感光に利用する、所謂レーザー方式（電子写真方式）の印刷機能を備える。しかしながら、他の形式の印刷機能を備えたものであっても構わない。また、このＭＦＰ３００においては、読取られた画像データがＣＰＵ３１０に入力されてＯＣＲ処理されてテキストデータ（文字コード）を取得することができる。
【００４４】
−ファクシミリモード−
以下において、ファクシミリ通信モード（ファクス／イメージ送信モードと記載する場合がある。）における動作について説明する。このファクシミリモードにおいては、主として、送信動作は原稿読取部（スキャナ部）およびＦＡＸ通信部３７５が動作することにより、受信動作はＦＡＸ通信部３７５および画像形成部が動作することにより、ファクシミリ通信動作が実現される。なお、他のインターネットファクシミリ通信モード、電子メール通信モード（スキャンｔｏメール）、画像データを特定のフォルダに転送する画像転送モード（スキャンｔｏフォルダ）についても、宛先がＦＡＸ番号ではなくコンピュータアドレスまたはメールアドレスになったり、通信インターフェイスがＦＡＸ通信部３７５ではなくネットワークＩＦ３７０になったりする等の差異があるものの、画像データを通信するという点において、同様に動作する。
【００４５】
・送信動作
ＭＦＰ３００においては、ファクシミリモードを指定して、原稿載置台に置かれた原稿が原稿読取部により画像データとして読取られ、読取られた画像データがＣＰＵ３１０に入力され、ここで画像データに各種の機能を用いて画像処理が施され、この画像データがＦＡＸ通信部３７５へと出力される。
【００４６】
送信側のＭＦＰ３００のＦＡＸ通信部３７５は、指定された送信側の回線を指定された送信先に接続して、画像データをファクシミリ通信規格に合致した通信データへ変換して、受信側のファクシミリ装置（たとえばファクシミリ通信機能を備えたＭＦＰ３００）へ送信する。
【００４７】
・通信動作
回線が接続されると、受信側のＭＦＰ３００のＦＡＸ通信部３７５は、送信側のＭＦＰ３００のＦＡＸ通信部３７５からの通信要求信号を検出して、応答信号を送信する。その後、たとえば、ＦＡＸ通信部３７５は、送信側および受信側で互いに実装されている能力情報の受渡しを行ない利用可能な最大能力での通信速度および画像データの符号化・符号訂正方式などを決定してモデムの通信方式を設定する。この通信方式にあわせた画像信号形式を用いて、送信側のＭＦＰ３００のＦＡＸ通信部３７５から受信側のＭＦＰ３００のＦＡＸ通信部３７５へデータを送信する。送信が終了すると回線が切断される。
【００４８】
・受信動作
受信側のＭＦＰ３００のＦＡＸ通信部３７５は、受信したデータを画像データに変換して、画像形成部へ送る。なお、受信したデータを画像データへ変換するのは画像形成部であっても構わない。画像形成部は、後述するコピーモードにおける画像形成動作と同じように、受信したデータから変換された画像データによって示される原稿の画像を記録用紙に印刷する。
【００４９】
−コピーモード−
以下において、コピーモードにおける画像形成動作について説明する。画像形成部は、原稿読取部により読取られた画像データが各種の機能により画像処理されたデータによって示される画像を記録用紙に印刷するものであって、たとえば、感光体ドラム、帯電装置、レーザースキャンユニット、現像装置、転写装置、クリーニング装置、定着装置、および除電装置等を備えている。
【００５０】
画像形成部には、たとえば、搬送路が設けられており、給紙部から給紙されてきた記録用紙が搬送路に沿って搬送される。給紙部は、用紙カセットに収納された記録用紙、または手差トレイに載置された記録用紙を１枚ずつ引出して記録用紙を画像形成部の搬送路へと送り出す。
【００５１】
画像形成部の搬送路に沿って記録用紙が搬送されている途中で、記録用紙が感光体ドラムと転写装置との間を通過し、更に定着装置を通過して、記録用紙に対する印刷が行なわれる。
【００５２】
感光体ドラムは、一方向に回転し、その表面は、クリーニング装置と除電装置によりクリーニングされた後、帯電装置により均一に帯電される。レーザースキャンユニットは、印刷対象の画像データに基づいてレーザー光を変調し、このレーザー光によって感光体ドラムの表面を主走査方向に繰返し走査して、静電潜像を感光体ドラムの表面に形成する。現像装置は、トナーを感光体ドラムの表面に供給して静電潜像を現像し、トナー像を感光体ドラムの表面に形成する。
【００５３】
転写装置は、転写装置と感光体ドラムとの間を通過していく記録用紙に感光体ドラムの表面のトナー像を転写する。定着装置は、記録用紙を加熱するための加熱ローラと、記録用紙を加圧するための加圧ローラとを含む。記録用紙は、加熱ローラによって加熱され、かつ、加圧ローラによって加圧されることによって、記録用紙上に転写されたトナー像が記録用紙に定着される。定着装置から排出された（印刷された）記録用紙は、排紙トレイに排出される。
【００５４】
−スキャナモード−
以下において、スキャナモードでの動作説明を行なう。このスキャナモードにおいては、主として、原稿読取部（スキャナ部）が動作することによりスキャナ機能が実現される。
【００５５】
ＭＦＰ３００においては、原稿載置台に置かれた原稿が原稿読取部により画像データとして読取られ、読取られた画像データがＣＰＵ３１０に入力され、ここで画像データに各種の機能に基づく画像処理が施され、コピーモードでこの画像データが記録用紙に出力されたり、ファクシミリ通信モード、インターネットファクシミリ通信モードまたは電子メール通信モード（スキャンｔｏメール）でこの画像データが送信されたり、画像転送モード（スキャンｔｏフォルダ）でこの画像データがＨＤＤ３４０に記憶されたりネットワークに接続されたコンピュータへネットワークＩＦ３７０を介して送信されたりする。
【００５６】
なお、このＭＦＰ３００においては、読取られた画像データがＯＣＲ処理されることにより作成されたテキストデータ（文字コード）に基づいて、原稿の種別を判別したり、原稿に記載された氏名を認識したりすることができる。
【００５７】
［原稿および原稿別推奨機能管理テーブル構成］
図４〜図７を参照して、このＭＦＰ３００で処理される原稿、サーバコンピュータ２００のＨＤＤ２４０およびＭＦＰ３００のＨＤＤ３４０の原稿別推奨機能管理テーブルで記憶される原稿別推奨機能リストについて説明する。この原稿別推奨機能管理テーブルには、ＭＦＰ３００から送信された原稿別推奨機能リストに基づいて、ＭＦＰ３００においてユーザがどのような原稿にどのような推奨機能を登録したのかを示す、複数の原稿別推奨機能リストが記憶される。１つの原稿別推奨機能リストが１種類の原稿（複数種の原稿から種別される特定の種類の原稿）に対応している。また、この原稿別推奨機能リストに関連付けて、原稿の書式等の特徴から原稿の種別を判別できる原稿フォーマットデータが登録原稿フォーマットとして記憶される。
【００５８】
図４に、このＭＦＰ３００において処理される原稿の一例である「営業会議議事録」を示す。図４に示すように、この原稿は、罫線により囲まれた特有のフォーマット（原稿フォーマット）を備え、その原稿フォーマットの所定の欄に所定の項目が記載されている。ＭＦＰ３００は、この原稿をＯＣＲ認識して、「議長」、「出席者」および「書記」の欄に記載された氏名に基づいて、この営業会議の出席者の数を認識することができる。
【００５９】
図４に示す「営業会議議事録」の原稿に対して、ユーザにより登録された機能が、図５に示す原稿別推奨機能リストとして原稿別推奨機能管理テーブルに記憶される。
【００６０】
図５に示すように、この原稿別推奨機能管理リストは、タッチパネルディスプレイ３８０に表示される原稿名称を記憶するフィールドと、原稿種別の判定項目を記憶するフィールドと、推奨コピー機能を記憶するフィールドと、推奨送信機能を記憶するフィールドとで構成される。図５においては、原稿種別の判定項目として、登録原稿フォーマットおよび登録キーワードとを記憶している。登録原稿フォーマットは、「営業会議」という名称で登録された原稿フォーマットデータに関連付けられている。
【００６１】
登録原稿フォーマットは、一度読込んだ原稿フォーマットを定型フォーマットとして登録したデータ（原稿フォーマットデータ）である。この登録原稿フォーマットは、原稿における特徴的な構成（罫線等）、項目の配置の特徴、図面または画像の挿入位置、フォントの種類またはサイズ等の要素に基づいて原稿種別を特定するために、コンピュータが認識可能な形式で記憶するデータである。なお、このような機能を発現するデータ形式であれば、原稿フォーマットデータの形式は特に限定されない。ＭＦＰ３００は、スキャンした原稿と、原稿フォーマットデータとを比較して、スキャンした原稿が原稿フォーマットデータと合致（一致または大部分で一致）すると、読込んだ原稿は原稿別推奨機能リストが登録された「営業会議議事録」であると判定する。
【００６２】
登録キーワードは、原稿種別を特定するために、ＯＣＲ処理後に原稿内の文字との合致の有無を判定するためのテキストデータ（文字コード）である。この図５においては、原稿名称が「営業会議議事録」である原稿に対して、ユーザにより登録キーワードとして「営業会議」および「月度」が登録されている。ＭＦＰ３００は、ＯＣＲ認識された文字と、これら２つの登録キーワードとを比較して、ＯＣＲ認識した文字の中にこれら２つの登録キーワードを含むと、読込んだ原稿は原稿別推奨機能リストが登録された「営業会議議事録」であると判定する。
【００６３】
さらに、原稿名称が「営業会議議事録」である原稿に対して、ユーザにより、図５に示す推奨コピー機能が登録されている。この例においては、推奨コピー部数が「１３部」、推奨コピー用紙サイズが「Ａ４」、推奨カラーモードが「グレースケール」、推奨コピー濃度が「文字」、推奨両面機能が「片面→両面」である。
【００６４】
原稿名称が「営業会議議事録」である原稿に対して、ユーザにより、図５に示す推奨送信機能が登録されている。この例においては、推奨送信機能が「スキャンｔｏメール」、推奨送信先が「ｙａｍａｄａ．ｔａｒｏ＠ｓｈ．ｃｏ．ｊｐ、ｓａｔｏｕ．ｔａｒｏ＠ｓｈ．ｃｏ．ｊｐ、ｓｕｚｕｋｉ．ｔａｒｏ＠ｓｈ．ｃｏ．ｊｐ、ｔａｎａｋａ．ｔａｒｏ＠ｓｈ．ｃｏ．ｊｐ、・・・」、推奨原稿送信サイズが「Ａ４」、推奨送信濃度が「文字」、推奨解像度が「２００ｄｐｉ×２００ｄｐｉ」、推奨フォーマットが「ＰＤＦ／ＭＭＲ（Ｇ４）」、推奨カラーモードが「グレースケール」である。
【００６５】
図６に、このＭＦＰ３００において処理される原稿の別の例である「企画書」を示す。図６に示すように、この原稿は、複数の枠により囲まれた特有のフォーマット（原稿フォーマット）を備え、その原稿フォーマットの所定の欄に所定の項目が記載されている。ＭＦＰ３００は、この原稿をＯＣＲ認識してこの原稿が「社外秘」であること、「担当役員」、「担当部長」、「担当者」の承認印鑑が押印されていることを認識することができる。
【００６６】
図６に示す「企画書」の原稿に対して、ユーザにより登録された機能が、図７に示す原稿別推奨機能管理リストとして原稿別推奨機能テーブルに記憶される。
【００６７】
図７に示す原稿別推奨機能リストは、図５に示した原稿別推奨機能リストと同じフィールドを備え、同じ原稿別推奨機能管理テーブルに記憶される。
【００６８】
図７に示すように、この原稿別推奨機能リストには、原稿名称が「企画書」である原稿に対して、登録原稿フォーマットとして、「企画書」の名称で登録された原稿フォーマットデータが登録されているとともに、登録キーワードとして、「企画書」および「プロジェクト」が登録されている。
【００６９】
さらに、原稿名称が「企画書」である原稿に対して、ユーザにより、図７に示す推奨コピー機能が登録されている。この例においては、推奨コピー部数が「２部」、推奨コピー用紙サイズが「Ａ４」、推奨カラーモードが「自動」、推奨コピー濃度が「自動」、推奨両面機能が「片面→片面」である。
【００７０】
原稿名称が「企画書」である原稿に対して、ユーザにより、図７に示す推奨送信機能が登録されている。この例においては、推奨送信機能が「スキャンｔｏフォルダ」、推奨送信先が「共有フォルダ／企画フォルダ」、推奨原稿送信サイズが「Ａ４」、推奨送信濃度が「自動」、推奨解像度が「４００ｄｐｉ×４００ｄｐｉ」、推奨フォーマットが「暗号化ＰＤＦ／ＭＭＲ（Ｇ４）」、推奨カラーモードが「自動」である。
【００７１】
なお、図５および図７にそれぞれ示すリストが、１種類の原稿ごとに設定される原稿別推奨機能リストである。このような原稿別推奨機能リストが複数記憶されるデータベースを原稿別推奨機能管理テーブルという。さらに、図５および図７に示した原稿別推奨機能リストまたは原稿別推奨機能管理テーブル（データベース）は一例であって、本発明はこのようなリストおよびデータベースに限定されるものではない。
【００７２】
［ソフトウェア構成］
図８を参照して、本実施の形態に係るネットワーク画像形成システムのＭＦＰ３００において、読込んだ原稿の種別に応じて推奨される機能を設定する処理を行なうために、サーバコンピュータ２００およびＭＦＰ３００で実行されるコンピュータプログラムの制御構造について説明する。
【００７３】
図８の左上に示すプログラムは、ＭＦＰ３００のＣＰＵ３１０において実行される。ステップ（以下、ステップをＳと略す。）３１００にて、ＭＦＰ３００のＣＰＵ３１０（以下、単にＣＰＵ３１０と記載する。）は、このＭＦＰ３００を使用するユーザにより、未登録原稿に対する推奨機能が登録されたか（原稿フォーマットデータおよび原稿別推奨機能リストが登録されたか）否かを判定する。ＣＰＵ３１０は、未登録原稿に対する推奨機能が登録されたと判定されると（Ｓ３１００にてＹＥＳ）、処理はＳ３１０２へ移される。もしそうでないと（Ｓ３１００にてＮＯ）、この処理はＳ３１００へ戻されて、このＭＦＰ３００を使用するユーザにより未登録原稿に対する推奨機能が登録されたと判定されるまで待つ。
【００７４】
Ｓ３１０２にて、ＣＰＵ３１０は、原稿別推奨機能リストを、原稿フォーマットデータとともにサーバコンピュータ２００へ送信する。
【００７５】
図８の右側に示すプログラムは、サーバコンピュータ２００のＣＰＵ２１０において実行される。Ｓ２１００にて、サーバコンピュータ２００のＣＰＵ２１０（以下、単にＣＰＵ２１０と記載する。）は、ＭＦＰ３００から原稿別推奨機能リストを受信したか否かを判定する。このとき、対象となるのは複数のＭＦＰ３００である。ＭＦＰ３００から原稿別推奨機能リストを受信したと判定されると（Ｓ２１００にてＹＥＳ）、処理はＳ２１０２へ移される。もしそうでないと（Ｓ２１００にてＮＯ）、この処理はＳ２１００へ戻されて、ＭＦＰ３００から原稿別推奨機能リストを受信したと判定されるまで待つ。
【００７６】
Ｓ２１０２にて、ＣＰＵ２１０は、ＭＦＰ３００から受信した原稿フォーマットデータとともに、原稿別推奨機能リスト（図５または図７）を原稿別推奨機能管理テーブルに記憶する。複数のＭＦＰ３００から原稿別推奨機能リストを受信して、原稿別推奨機能管理テーブルに記憶することにより、多くの原稿別推奨機能リストが原稿フォーマットデータとともに原稿別推奨機能管理テーブルに蓄積されていく。なお、原稿別推奨機能管理テーブルの記憶データ量があまりにも大きくなることを回避するために、登録されているにも関わらず、読取られない原稿の原稿別推奨機能リストおよび推奨機能として設定されない原稿別推奨機能リスト（後述するようにタッチパネルディスプレイ３８０に表示しても推奨機能ボタンが押下されないリスト）は、原稿別推奨機能管理テーブルから消去するようにしても構わない。
【００７７】
Ｓ２１０４にて、ＣＰＵ２１０は、予め定められた時間に到達したか否かを判定する。予め定められた時間とは、原稿別推奨機能管理テーブルをメンテナンスする時間間隔に対応する。予め定められた時間（たとえば１２時間間隔に対応する時間）に到達したと判定されると（Ｓ２１０４にてＹＥＳ）、この処理はＳ２１０６へ移される。もしそうでないと（Ｓ２１０４にてＮＯ）、この処理はＳ２１００へ戻される。このように処理するのは、複数のＭＦＰ３００から原稿別推奨機能リストを受信して原稿別推奨機能管理テーブルを更新することはリアルタイムで実行するものの、あるＭＦＰ３００での原稿別推奨機能リストを他のＭＦＰ３００の原稿別推奨機能管理テーブルへ反映させることは、ある程度の時間間隔で実行しさえすればよいためである。なお、ネットワーク回線４００に接続されたＭＦＰ３００の台数および原稿別推奨機能登録の頻度によっては、Ｓ２１０４の判定処理を行わないようにしても構わない。すなわち、リアルタイムで各ＭＦＰ３００の原稿別推奨機能管理テーブルを更新することになる。
【００７８】
Ｓ２１０６にて、ＣＰＵ２１０は、原稿別推奨機能管理テーブルに記憶された原稿別推奨機能リストに基づいて、原稿別推奨機能リストの差分データ（前回送信分から追加された原稿別推奨機能リスト）を作成する。Ｓ２１０８にて、ＣＰＵ２１０は、原稿データフォーマットとともに原稿別推奨機能リストの差分データをＭＦＰ３００へ送信する。なお、原稿別推奨機能リストの差分データをＭＦＰ３００へ送信することについては、通信トラフィックを低減させるために、前回送信時からの変更分のみを差分データとして送信するようにしている。
【００７９】
図６の左下に示すプログラムは、ＭＦＰ３００のＣＰＵ３１０において実行される。Ｓ３１１０にて、ＣＰＵ３１０は、サーバコンピュータ２００から原稿データフォーマットとともに原稿別推奨機能リストの差分データを受信したか否かを判定する。サーバコンピュータ２００から原稿別推奨機能リストの差分データを受信したと判定されると（Ｓ３１１０にてＹＥＳ）、処理はＳ３１１２へ移される。もしそうでないと（Ｓ３１１０にてＮＯ）、この処理はＳ３１１０へ戻されて、サーバコンピュータ２００から原稿別推奨機能リストを受信したと判定されるまで待つ。
【００８０】
Ｓ３１１２にて、ＣＰＵ３１０は、サーバコンピュータ２００から受信した原稿別推奨機能リストの差分データを、ＭＦＰ３００のＨＤＤ３４０に記憶された原稿別推奨機能管理テーブルに記憶する。このとき、原稿データフォーマットもＭＦＰ３００のＨＤＤ３４０に記憶される。これにより、ＭＦＰ３００で記憶された原稿別推奨機能管理テーブルが更新される。その結果、本実施の形態に係るネットワーク画像形成システムにおいて、異なるＭＦＰ３００をユーザが使用して原稿別推奨機能を登録したとしても、使用したＭＦＰ３００に限定されないで、各ＭＦＰ３００において、原稿別推奨機能の登録履歴を管理することができる。
【００８１】
図９を参照して、本実施の形態に係るネットワーク画像形成システムにおいてユーザが特定の原稿をコピー処理または画像通信処理（画像形成処理）するときに、ＭＦＰ３００で実行されるコンピュータプログラムの制御構造について説明する。
【００８２】
Ｓ３２００にて、ＣＰＵ３１０は、このＭＦＰ３００の原稿読取部を用いてユーザが原稿をスキャンしたか否かを判定する。ユーザが原稿をスキャンしたと判定されると（Ｓ３２００にてＹＥＳ）、処理はＳ３２０２へ移される。もしそうでないと（Ｓ３２００にてＮＯ）、この処理はＳ３２００へ戻されて、ユーザが原稿をスキャンしたと判定するまで待つ。
【００８３】
Ｓ３２０２にて、ＣＰＵ３１０は、読込んだ原稿のイメージをタッチパネルディスプレイ３８０にプレビュー表示する。Ｓ３２０４にて、ＣＰＵ３１０は、読込んだ原稿のイメージをＯＣＲ処理する。
【００８４】
Ｓ３２０６にて、ＣＰＵ３１０は、ＨＤＤ３４０に記憶されている登録原稿フォーマットとスキャン原稿とを比較する。Ｓ３２０８にて、ＣＰＵ３１０は、ＨＤＤ３４０に記憶されている原稿別推奨機能管理テーブルの原稿別推奨機能リストの登録キーワードとスキャン原稿のＯＣＲ文字とを比較する。
【００８５】
Ｓ３２１０にて、ＣＰＵ３１０は、スキャンした原稿は原稿別推奨機能管理テーブルに登録済みであるか否かを判定する。このとき、ＣＰＵ３１０は、Ｓ３２０６およびＳ３２０８における比較結果に基づいて、スキャンした原稿は原稿別推奨機能管理テーブルに登録済みであるか否かを判定する。スキャンした原稿は原稿別推奨機能管理テーブルに登録済みであると判定されると（Ｓ３２１０にてＹＥＳ）、処理はＳ３２１２へ移される。もしそうでないと（Ｓ３２１０にてＮＯ）、この処理はＳ３２３２へ移される。
【００８６】
Ｓ３２１２にて、ＣＰＵ３１０は、原稿別推奨機能管理テーブルからスキャンした原稿に対応する原稿別推奨機能リストを読み出して、タッチパネルディスプレイ３８０に原稿種別および推奨メニューを表示する。
【００８７】
Ｓ３２１４にて、ＣＰＵ３１０は、タッチパネルディスプレイ３８０に表示された推奨メニューを設定する要求があったか否かを判定する。このとき、ＣＰＵ３１０は、タッチパネルディスプレイ３８０に表示された「推奨コピー設定」または「推奨送信設定」が押下されると、推奨メニューを設定する要求があったと判定する。タッチパネルディスプレイ３８０に表示された推奨メニューを設定する要求があったと判定されると（Ｓ３２１４にてＹＥＳ）、処理はＳ３２１６へ移される。もしそうでないと（Ｓ３２１４にてＮＯ）、処理はＳ３２２６へ移される。
【００８８】
Ｓ３２１６にて、ＣＰＵ３１０は、特別推奨メニューをタッチパネルディスプレイ３８０に表示する。この特別推奨メニューとは、読み込んだ原稿に推奨設定が登録されている場合に、ポップアップ画面に、さらなる推奨機能メニュー（推奨機能メニューとは異なるメニューであって特別推奨メニューと記載する。）を表示する。たとえば、この特別推奨メニューとしては、
（１）フォントサイズがある程度以上の原稿の場合はページ集約を設定することを推奨したり、
（２）議事録における出席者の人数を自動的にカウントして登録されたコピー部数を変更することを推奨したり、
（３）議事録における出席者をＯＣＲ認識して送信先のアドレスを設定することを推奨したり、
（４）押印の有無でコピー部数または送信先を設定することを推奨したり、
（５）原稿読取り日時ではなくＯＣＲで認識した原稿作成日時または書類名（議事録に記載された作成日または書類名）に基づいて送信フォルダまたはファイル名を設定することを推奨したり、
するものがある。
【００８９】
Ｓ３２１８にて、ＣＰＵ３１０は、登録されている推奨機能が変更する要求があったか否かを判定する。すなわち、原稿別推奨機能リストを読み出して、タッチパネルディスプレイ３８０に推奨メニューを表示して、さらに特別推奨メニューを表示したところ、ユーザが登録されている推奨メニューから特別推奨メニューに変更する要求があったか否かを判定する。たとえば、図５に示すように、原稿別推奨機能リストには推奨コピー部数が１３部で登録されているが、議事録における出席者の人数が８名であったときに推奨コピー部数を８部に変更する特別推奨メニューが選択された場合である。登録されている推奨機能を変更する要求があったと判定されると（Ｓ３２１８にてＹＥＳ）、処理はＳ３２２０へ移される。もしそうでないと（Ｓ３２１８にてＮＯ）、この処理はＳ３２２２へ移される。
【００９０】
Ｓ３２２０にて、ＣＰＵ３１０は、原稿別推奨機能リストに登録された機能から特別推奨メニューにより変更された機能を設定（特別推奨メニューの状態で設定）する。その後、この処理はＳ３２２４へ移される。
【００９１】
Ｓ３２２２にて、ＣＰＵ３１０は、原稿別推奨機能リストに登録された機能を設定（推奨メニューの状態で設定）する。その後、この処理はＳ３２２４へ移される。
【００９２】
Ｓ３２２４にて、ＣＰＵ３１０は、コピー／送信処理を実行する。その後、この処理は終了する。
【００９３】
Ｓ３２２６にて、ＣＰＵ３１０は、タッチパネルディスプレイ３８０に機能設定画面を表示する。すなわち、原稿別推奨機能リストに登録された機能が選択されなかったので、個別に機能を入力（設定）するために機能入力画面が表示される。Ｓ３２２８にて、ＣＰＵ３１０は、個別の機能の入力が完了したか否かを判定する。このとき、ＣＰＵ３１０は、タッチパネルディスプレイ３８０に機能入力完了ボタンが押下されると、個別の機能入力が完了したと判定する。個別の機能入力が完了したと判定されると（Ｓ３２２８にてＹＥＳ）、処理はＳ３２３０へ移される。もしそうでないと（Ｓ３２２８にてＮＯ）、この処理はＳ３２２８へ戻されて個別の機能入力が完了したと判定されるまで待つ。
【００９４】
Ｓ３２３０にて、ＣＰＵ３１０は、個別に入力された機能を設定（ユーザにより入力された機能を設定）する。その後、この処理はＳ３２２４へ移される。
【００９５】
Ｓ３２３２にて、ＣＰＵ３１０は、スキャンした原稿の原稿フォーマットデータを作成する。すなわち、スキャンした原稿が原稿別推奨機能管理テーブルに登録されていなかったので、原稿別推奨機能管理テーブルに原稿別推奨機能リストを新たに登録する必要がある。このため、原稿別推奨機能リストとともに登録される原稿フォーマットデータを作成する。
【００９６】
Ｓ３２３４にて、ＣＰＵ３１０は、タッチパネルディスプレイ３８０に原稿別推奨機能リストの作成画面を表示する。Ｓ３２３６にて、ＣＰＵ３１０は、新たな原稿についての原稿別推奨機能リストの登録が完了したか否かを判定する。このとき、ＣＰＵ３１０は、タッチパネルディスプレイ３８０に原稿別推奨機能リストの登録完了ボタンが押下されると、原稿別推奨機能リストの登録が完了したと判定する。原稿別推奨機能リストの登録が完了したと判定されると（Ｓ３２３６にてＹＥＳ）、処理はＳ３２３８へ移される。もしそうでないと（Ｓ３２３６にてＮＯ）、この処理はＳ３２３６へ戻されて原稿別推奨機能リストの登録が完了したと判定されるまで待つ。
【００９７】
Ｓ３２３８にて、ＣＰＵ３１０は、スキャンした原稿について、作成された原稿フォーマットデータを登録原稿フォーマットデータとして記憶するとともに、登録された原稿別推奨機能リストを原稿別推奨機能管理テーブルに記憶する。その後、この処理はＳ３２１２へ移される。なお、Ｓ３２２８の処理後は、処理をＳ３２２４へ移すようにしても構わない。
【００９８】
［動作］
以上のような構造およびフローチャートに基づく、本実施の形態に係るネットワーク画像形成システムの動作について説明する。
【００９９】
＜原稿別の推奨機能登録動作＞
図４に示す原稿、図５に示す原稿別推奨機能管理リストおよび図８に示すフローチャートを用いて、このネットワーク画像形成システムの原稿別の推奨機能登録動作について説明する。
【０１００】
後述するように、ユーザがＭＦＰ３００において、推奨機能が未登録の原稿（たとえば図４に示す営業会議議事録）をスキャンして、その原稿に対する推奨機能を登録すると（Ｓ３１００にてＹＥＳ）、このＭＦＰ３００においてこのユーザが原稿別推奨機能として登録した機能を示す原稿別推奨機能リストが、その原稿の原稿フォーマットデータともにサーバコンピュータ２００へ送信される（Ｓ３１０２）。
【０１０１】
このようなＭＦＰ３００の動作に応答して、サーバコンピュータ２００は、ＭＦＰ３００から原稿フォーマットデータともに原稿別推奨機能リストを受信する（Ｓ２１００にてＹＥＳ）。受信した原稿別推奨機能リストは、原稿フォーマットデータともに、図５に示す原稿別推奨機能リストの形式でＨＤＤ２４０の原稿別推奨機能管理テーブルに記憶される（Ｓ２１０２）。
【０１０２】
サーバコンピュータ２００に集計された、原稿種別ごとの原稿別推奨機能リストをＭＦＰ３００へ送信する、予め定められた時間になると（Ｓ２１０４にてＹＥＳ）、原稿別推奨機能管理テーブルに記憶された原稿別推奨機能リストに基づいて、原稿別推奨機能リストの差分データ（前回送信分からの差分）が作成される（Ｓ２１０６）。作成された原稿別推奨機能リストの差分データが、原稿フォーマットデータとともに、ＭＦＰ３００へ送信される（Ｓ２１０８）。なお、この場合、差分データの中で、あるＭＦＰ３００から送信された原稿別推奨機能リストは、そのＭＦＰ３００のＨＤＤ３４０の原稿別推奨機能管理テーブルに記憶されているので、そのＭＦＰ３００へ送信しなくても構わない。
【０１０３】
このようなサーバコンピュータ２００の動作に応答して、複数のＭＦＰ３００のそれぞれは、サーバコンピュータ２００から、原稿フォーマットデータとともに原稿別推奨機能リストの差分データを受信する（Ｓ３１１０にてＹＥＳ）。受信した、原稿フォーマットデータが登録原稿フォーマットとしてＨＤＤ３４０に記憶されるとともに、原稿種別ごとの原稿別推奨機能リストの差分データがＨＤＤ３４０に記憶された原稿別推奨機能管理テーブルに追加して記憶される（Ｓ３１１２）。
【０１０４】
サーバコンピュータ２００においては、複数のＭＦＰ３００から原稿別推奨機能リストを受信して原稿別推奨機能管理テーブル（図５または図７の原稿別推奨機能リストを複数記憶したテーブル）がリアルタイムで更新されるので、原稿別推奨機能管理テーブルに原稿別推奨機能リストが蓄積されていく。このように、原稿別推奨機能管理テーブルに原稿別推奨機能リストが蓄積されていく一方で、予め設定された時間間隔で、原稿別推奨機能リストの差分データがＭＦＰ３００へ送信され。ＭＦＰ３００においては自己のＨＤＤ３４０に記憶している原稿別推奨機能管理テーブルが更新される。
【０１０５】
＜画像形成（コピー／送信）動作＞
図９に示すフローチャートおよび図１０〜図１３に示すタッチパネルディスプレイ３８０の画面遷移図を用いて、このネットワーク画像形成システムの画像形成（コピー／送信）動作について説明する。
【０１０６】
−スキャンした原稿が登録済−
ユーザがＭＦＰ３００において、原稿（この原稿は図４に示す「営業会議議事録」と同じ種別の原稿であるとする。）をスキャンすると（Ｓ３２００にてＹＥＳ）、タッチパネルディスプレイ３８０の中央部にスキャンした原稿がプレビュー表示される（Ｓ３２０２）。スキャンした原稿がＯＣＲ処理されて（Ｓ３２０４）、登録原稿フォーマットとスキャンした原稿とが比較され（Ｓ３２０６）、登録キーワードとＯＣＲされた文字とが比較されて（Ｓ３２０８）、スキャンした原稿が登録済みであるので（Ｓ３２１０にてＹＥＳ）、原稿種別および推奨メニューが表示される（Ｓ３２１２）。このとき、タッチパネルディスプレイ３８０には、図１０に示すような画面が表示される。
【０１０７】
図１０に示すように、スキャンした原稿がタッチパネルディスプレイ３８０の中央部にプレビュー表示されるとともに、タッチパネルディスプレイ３８０の右部に、原稿種別が「営業会議議事録」として表示される。さらに、タッチパネルディスプレイ３８０の右部に、推奨コピー設定ボタンおよび推奨送信設定ボタンが表示される。推奨コピー設定ボタンを押下すると、原稿種別に対応して登録された推奨コピー機能が設定され、推奨送信設定ボタンを押下すると、原稿種別に対応して登録された推奨送信機能が設定される。なお、推奨コピー機能および推奨送信機能の内容をユーザが確認できるように、タッチパネルディスプレイ３８０に表示することが好ましい。
【０１０８】
ユーザが図１０の推奨コピー設定ボタンおよび推奨送信設定ボタンのいずれかを押下すると（ここでは推奨コピー設定ボタンを押下するものとする。）、特別推奨メニューがタッチパネルディスプレイ３８０に表示される（Ｓ３２１４にてＹＥＳ、Ｓ３２１６）。ここでは、スキャンした原稿は、７月度の月度営業会議（出席者１３名）よりも少ない出席者である８月度の月度営業会議（出席者８名）の議事録であるとする。なお、原稿名称が「営業会議議事録」については、図５に示すように、出席者数に対応させてコピー部数として１３部が登録されている。
【０１０９】
このとき、スキャンした原稿における文字のフォントサイズが大きいと判定された場合には、登録されていないコピー集約（図５参照）を設定する特別推奨メニュー（さらなる推奨メニュー）がタッチパネルディスプレイ３８０に表示される。また、スキャンした原稿におけるＯＣＲ文字に基づいて８月度の営業会議における出席者の人数を自動的にカウントすると８名である。このため、登録されたコピー部数（１３部：図５参照）を議事録における出席者の人数である８名に変更する特別推奨メニュー（さらなる推奨メニュー）がタッチパネルディスプレイ３８０に表示される。タッチパネルディスプレイ３８０には、図１１に示すような画面が表示される。このように、特別推奨メニュー（さらなる推奨メニュー）を表示することにより、推奨機能として登録された内容の一部を容易に変更することができるようになる。特に、会議の最大出席者の数でコピー部数を登録しておいて、会議に欠席した者がいる場合に、出席者に配布するコピーの部数を容易に変更することができる。
【０１１０】
ユーザが、特別推奨メニュー（さらなる推奨メニュー）の「ＹＥＳ」ボタンを押下すると（Ｓ３２１８にてＹＥＳ）、登録されている推奨機能が変更されてＭＦＰ３００に設定される（Ｓ３２２０）。具体的には図１１の「（２）８部コピー推奨」に対応する「ＹＥＳ」ボタンを押下すると、コピー部数が１３部から８部へ変更されて、ＭＦＰ３００に機能が設定される。
【０１１１】
一方、ユーザが、特別推奨メニュー（さらなる推奨メニュー）の「ＮＯ」ボタンを押下すると（Ｓ３２１８にてＮＯ）、登録されている推奨機能が変更されないで、ＭＦＰ３００に設定される（Ｓ３２２２）。具体的には、たとえばコピー部数は１３部のままて、ＭＦＰ３００に機能が設定される。
【０１１２】
ところで、ユーザが図１０の推奨コピー設定ボタンおよび推奨送信設定ボタンのいずれも押下しないで、たとえばプレビュー画面を押下すると、機能設定画面がタッチパネルディスプレイ３８０に表示される（Ｓ３２１４にてＮＯ、Ｓ３２２６）。このとき、スキャンした原稿が８月度の月度営業会議の議事録であっても、ＨＤＤ３４０に記憶された原稿別推奨機能管理テーブルの「営業会議議事録」に対して登録された原稿別推奨機能リストの内容でＭＦＰ３００を設定しないで、個別に機能を入力（設定）する場合である。
【０１１３】
コピーまたは画像データ送信についての機能の設定が完了すると（Ｓ３２２８にてＹＥＳ）、登録されている推奨機能が使用されないでＭＦＰ３００に個別に入力された機能が設定される（Ｓ３２３０）。
【０１１４】
このようにコピーまたは画像データ送信についての機能が設定された後（Ｓ３２２０、Ｓ３２２２、Ｓ３２３０）、コピー／送信処理が実行される（Ｓ３２２４）。
【０１１５】
−スキャンした原稿が未登録−
ユーザがＭＦＰ３００において、原稿（この原稿は図４に示す「営業会議議事録」でもなく図６に示す「企画書」でもなく原稿別推奨機能管理テーブルに登録されていない原稿（たとえば「役員会議議事録」）であるとする。）をスキャンすると（Ｓ３２００にてＹＥＳ）、タッチパネルディスプレイ３８０の中央部にスキャンした原稿がプレビュー表示される（Ｓ３２０２）。スキャンした原稿がＯＣＲ処理されて（Ｓ３２０４）、登録原稿フォーマットとスキャンした原稿とが比較され（Ｓ３２０６）、登録キーワードとＯＣＲされた文字とが比較されて（Ｓ３２０８）、スキャンした原稿は未登録であるので（Ｓ３２１０にてＮＯ）、スキャンした原稿の原稿フォーマットデータが作成される（Ｓ３２３２）。
【０１１６】
このとき、原稿種別が未登録原稿と表示された、推奨機能を登録することを促す画面が表示される。タッチパネルディスプレイ３８０には、図１２に示すような画面が表示される。図１２の「原稿種別に対する推奨機能設定」ボタンを押下すると、スキャンした原稿の種別と推奨機能とが設定される。このために、原稿別推奨リストの作成画面がタッチパネルディスプレイ３８０に表示される。タッチパネルディスプレイ３８０には図１３に示す画面が表示される。
【０１１７】
図１３に示すように、タッチパネルディスプレイ３８０には、原稿種別の登録、推奨コピー機能の設定および推奨送信機能の設定することのできる画面が表示される。タッチパネルディスプレイ３８０に原稿別推奨機能リストの登録完了ボタン（図１３参照）が押下されると（Ｓ３２２６にてＹＥＳ）、スキャンした原稿について、作成された原稿フォーマットデータを登録原稿フォーマットデータとして記憶するとともに、登録された原稿別推奨機能リストを原稿別推奨機能管理テーブルに記憶する（Ｓ３２３８）。この後、動作は、原稿別推奨機能リストが登録された原稿と同じように図１０および図１１に示すような画面がタッチパネルディスプレイ３８０に表示されて、画像形成動作（コピー／送信）が行なわれる。
【０１１８】
以上のようにして、本実施の形態に係るネットワーク画像形成システムによると、ＭＦＰにおいてスキャンされた原稿の種別を識別して、その原稿に対応させて記憶された水晶機能を自動的に設定することができる。このため、多種多様な機能を備え、それらの機能が適宜組合せられて利用されるＭＦＰにおいて、読込んだ原稿に応じて推奨される機能を提示して、その機能を容易に設定することにより、多くの機能を適切に組合せて利用することができる。
【０１１９】
なお、上述したように、サーバコンピュータを備えないで、ＭＦＰ単体でスキャンした原稿に適した機能を自動的に設定するようにしても、複数のＭＦＰ間で通信して、各ＭＦＰでスキャンした原稿に適した機能を自動的に設定するようにしても構わない。この場合には、ＭＦＰ単体で原稿別推奨機能管理テーブルを記憶したり、複数のＭＦＰ間で通信して複数のＭＦＰにおいて共通する原稿別推奨機能管理テーブルを記憶したりすることになる。
【０１２０】
さらに、「社外秘」または「厳秘」の文字またはスタンプ印を識別したり、承認印の有無を識別したり、捺印者を識別したりして、これらの識別情報に基づいて、特別推奨メニュー（さらなる推奨メニュー）を表示することもできる。また、ＯＣＲ認識した文字から出席者を識別して、その出席者の氏名からメールアドレスを引き当てて、スキャンｔｏメールモードでの宛先を自動的に設定することもできる。
【０１２１】
また、特別推奨メニュー（さらなる推奨メニュー）が選択された場合、その原稿の原稿別推奨機能リストを特別推奨メニューの内容に変更（上書き修正）するようにしても構わない。
【０１２２】
また、推奨コピー設定ボタンおよび推奨送信設定ボタンのいずれかを選択する場合であっても、原稿別推奨機能リストに登録された一部の設定を変更するようにしても構わない。さらに、その原稿の原稿別推奨機能リストを、変更した設定の内容に修正するようにしても構わない。
【０１２３】
今回開示された実施の形態は単に例示であって、本発明が上記した実施の形態のみに限定されるわけではない。本発明の範囲は、発明の詳細な説明の記載を参酌した上で、特許請求の範囲の各請求項によって示され、そこに記載された文言と均等の意味および範囲内でのすべての変更を含む。
【符号の説明】
【０１２４】
２００  サーバコンピュータ
３００  ＭＦＰ
４００  ネットワーク回線
【図１】
2011015348.tif 000003
【図２】
2011015348.tif 000004
【図３】
2011015348.tif 000005
【図４】
2011015348.tif 000006
【図５】
2011015348.tif 000007
【図６】
2011015348.tif 000008
【図７】
2011015348.tif 000009
【図８】
2011015348.tif 000010
【図９】
2011015348.tif 000011
【図１０】
2011015348.tif 000012
【図１１】
2011015348.tif 000013
【図１２】
2011015348.tif 000014
【図１３】
2011015348.tif 000015
【手続補正書】
【提出日】平成22年6月21日(2010.6.21)
【手続補正１】
【補正対象書類名】明細書
【補正対象項目名】００２９
【補正方法】変更
【補正の内容】
【００２９】
【図１】本発明の実施の形態に係るネットワーク画像形成システムの全体構成を示す図である。
【図２】図１のサーバコンピュータのハードウェア構成を示す制御ブロック図である。
【図３】図１のＭＦＰのハードウェア構成を示す制御ブロック図である。
【図４】図１のＭＦＰで処理される原稿の一例を示す図（その１）である。
【図５】図１のサーバコンピュータおよびＭＦＰで記憶される、図４の原稿に対応する原稿別推奨機能リストを示す図である。
【図６】図１のＭＦＰで処理される原稿の一例を示す図（その２）である。
【図７】図１のサーバコンピュータおよびＭＦＰで記憶される、図６の原稿に対応する原稿別推奨機能リストを示す図である。
【図８】図１のサーバコンピュータおよびＭＦＰでそれぞれ実行される原稿別推奨機能登録処理プログラムの制御構造を示すフローチャートである。
【図９】図１のＭＦＰで実行される画像形成処理プログラムの制御構造を示すフローチャートである。
【図１０】図９のプログラムが実行された場合のタッチパネルディスプレイの表示例を説明する遷移図（その１）である。
【図１１】図９のプログラムが実行された場合のタッチパネルディスプレイの表示例を説明する遷移図（その２）である。
【図１２】図９のプログラムが実行された場合のタッチパネルディスプレイの表示例を説明する遷移図（その３）である。
【図１３】図９のプログラムが実行された場合のタッチパネルディスプレイの表示例を説明する遷移図（その４）である。
【手続補正２】
【補正対象書類名】明細書
【補正対象項目名】００３３
【補正方法】変更
【補正の内容】
【００３３】
本実施の形態においては、各ＭＦＰはユーザが原稿別の推奨機能を登録すると、原稿のフォーマットを一意に識別する原稿フォーマットデータとともに原稿別推奨機能リストをサーバコンピュータ２００へ送信する。サーバコンピュータ２００は、ネットワーク回線４００を介して受信した、各ＭＦＰ３００における原稿別推奨機能リストを、原稿フォーマットデータとともに原稿別推奨機能管理テーブルに記憶する。サーバコンピュータ２００は、一定の時間間隔で、原稿別推奨機能管理テーブルに基づいて原稿別推奨機能リストの差分データを、原稿フォーマットデータとともにＭＦＰ３００へ送信する。ＭＦＰ３００は、原稿別推奨機能リストを原稿フォーマットデータとともに原稿別推奨機能管理テーブルに記憶する。ＭＦＰ３００は、ユーザにより原稿がスキャンされると、原稿フォーマットデータを用いて原稿種別を識別して、原稿別推奨機能管理テーブルに基づいて、識別された原稿種別に推奨されている機能を自機に設定する。
【手続補正３】
【補正対象書類名】明細書
【補正対象項目名】００７８
【補正方法】変更
【補正の内容】
【００７８】
Ｓ２１０６にて、ＣＰＵ２１０は、原稿別推奨機能管理テーブルに記憶された原稿別推奨機能リストに基づいて、原稿別推奨機能リストの差分データ（前回送信分から追加された原稿別推奨機能リスト）を作成する。Ｓ２１０８にて、ＣＰＵ２１０は、原稿フォーマットデータとともに原稿別推奨機能リストの差分データをＭＦＰ３００へ送信する。なお、原稿別推奨機能リストの差分データをＭＦＰ３００へ送信することについては、通信トラフィックを低減させるために、前回送信時からの変更分のみを差分データとして送信するようにしている。
【手続補正４】
【補正対象書類名】明細書
【補正対象項目名】００７９
【補正方法】変更
【補正の内容】
【００７９】
図６の左下に示すプログラムは、ＭＦＰ３００のＣＰＵ３１０において実行される。Ｓ３１１０にて、ＣＰＵ３１０は、サーバコンピュータ２００から原稿フォーマットデータとともに原稿別推奨機能リストの差分データを受信したか否かを判定する。サーバコンピュータ２００から原稿別推奨機能リストの差分データを受信したと判定されると（Ｓ３１１０にてＹＥＳ）、処理はＳ３１１２へ移される。もしそうでないと（Ｓ３１１０にてＮＯ）、この処理はＳ３１１０へ戻されて、サーバコンピュータ２００から原稿別推奨機能リストの差分データを受信したと判定されるまで待つ。
【手続補正５】
【補正対象書類名】明細書
【補正対象項目名】００８０
【補正方法】変更
【補正の内容】
【００８０】
Ｓ３１１２にて、ＣＰＵ３１０は、サーバコンピュータ２００から受信した原稿別推奨機能リストの差分データを、ＭＦＰ３００のＨＤＤ３４０に記憶された原稿別推奨機能管理テーブルに記憶する。このとき、原稿フォーマットデータもＭＦＰ３００のＨＤＤ３４０に記憶される。これにより、ＭＦＰ３００で記憶された原稿別推奨機能管理テーブルが更新される。その結果、本実施の形態に係るネットワーク画像形成システムにおいて、異なるＭＦＰ３００をユーザが使用して原稿別推奨機能を登録したとしても、使用したＭＦＰ３００に限定されないで、各ＭＦＰ３００において、原稿別推奨機能の登録履歴を管理することができる。
【手続補正６】
【補正対象書類名】明細書
【補正対象項目名】００９３
【補正方法】変更
【補正の内容】
【００９３】
Ｓ３２２６にて、ＣＰＵ３１０は、タッチパネルディスプレイ３８０に機能設定画面を表示する。すなわち、原稿別推奨機能リストに登録された機能が選択されなかったので、個別に機能を入力（設定）するために機能設定画面が表示される。Ｓ３２２８にて、ＣＰＵ３１０は、個別の機能の入力が完了したか否かを判定する。このとき、ＣＰＵ３１０は、タッチパネルディスプレイ３８０に機能入力完了ボタンが押下されると、個別の機能入力が完了したと判定する。個別の機能入力が完了したと判定されると（Ｓ３２２８にてＹＥＳ）、処理はＳ３２３０へ移される。もしそうでないと（Ｓ３２２８にてＮＯ）、この処理はＳ３２２８へ戻されて個別の機能入力が完了したと判定されるまで待つ。
【手続補正７】
【補正対象書類名】明細書
【補正対象項目名】００９７
【補正方法】変更
【補正の内容】
【００９７】
Ｓ３２３８にて、ＣＰＵ３１０は、スキャンした原稿について、作成された原稿フォーマットデータを登録原稿フォーマットデータとして記憶するとともに、登録された原稿別推奨機能リストを原稿別推奨機能管理テーブルに記憶する。その後、この処理はＳ３２１２へ移される。なお、Ｓ３２３８の処理後は、処理をＳ３２２４へ移すようにしても構わない。
【手続補正８】
【補正対象書類名】明細書
【補正対象項目名】０１０４
【補正方法】変更
【補正の内容】
【０１０４】
サーバコンピュータ２００においては、複数のＭＦＰ３００から原稿別推奨機能リストを受信して原稿別推奨機能管理テーブル（図５または図７の原稿別推奨機能リストを複数記憶したテーブル）がリアルタイムで更新されるので、原稿別推奨機能管理テーブルに原稿別推奨機能リストが蓄積されていく。このように、原稿別推奨機能管理テーブルに原稿別推奨機能リストが蓄積されていく一方で、予め設定された時間間隔で、原稿別推奨機能リストの差分データがＭＦＰ３００へ送信される。ＭＦＰ３００においては自己のＨＤＤ３４０に記憶している原稿別推奨機能管理テーブルが更新される。
【手続補正９】
【補正対象書類名】明細書
【補正対象項目名】０１１６
【補正方法】変更
【補正の内容】
【０１１６】
このとき、原稿種別が未登録原稿と表示された、推奨機能を登録することを促す画面が表示される。タッチパネルディスプレイ３８０には、図１２に示すような画面が表示される。図１２の「原稿種別に対する推奨機能設定」ボタンを押下すると、スキャンした原稿の種別と推奨機能とが設定される。このために、原稿別推奨機能リストの作成画面がタッチパネルディスプレイ３８０に表示される。タッチパネルディスプレイ３８０には図１３に示す画面が表示される。
【手続補正１０】
【補正対象書類名】図面
【補正対象項目名】図５
【補正方法】変更
【補正の内容】
【図５】
2011015348.tif 000016
【手続補正１１】
【補正対象書類名】図面
【補正対象項目名】図７
【補正方法】変更
【補正の内容】
【図７】
2011015348.tif 000017
【手続補正１２】
【補正対象書類名】図面
【補正対象項目名】図８
【補正方法】変更
【補正の内容】
【図８】
2011015348.tif 000018
【手続補正１３】
【補正対象書類名】図面
【補正対象項目名】図９
【補正方法】変更
【補正の内容】
【図９】
2011015348.tif 000019